(57)【特許請求の範囲】
【請求項１】
ランプを保持して、被取付部から吊り下げられる器具本体と、
この器具本体に取り付けられ、鉛直方向から見た形状が環状に形成された枠体と、
吊り下げ状態における下側面に開口が設けられ、この開口内に前記器具本体と前記枠体を納めるようにして、吊り下げ状態における上側から前記枠体上に載置されるセードと、
前記開口を閉塞するように前記枠体又は前記器具本体の何れかに取り付けられる透光性のカバーとを備え、
前記枠体の外縁部及びこの外縁部に対向する前記セードの内側面の内、一方には他方に向かって突出する凸部が、他方には前記凸部が挿入される凹部がそれぞれ設けられ、
前記凸部を前記凹部に挿入させることによって、前記セードが所定の高さ位置で前記枠体に載置され、
前記所定の高さ位置から前記セードを上方へ移動させて、前記凸部を前記凹部の外側に出し、前記凹部の周縁部と前記凸部とを上下方向において当接させることで、前記セードが前記所定の高さ位置よりも上方の仮保持位置で、前記枠体上に載置されることを特徴とする照明器具。
【請求項２】
前記枠体は、複数本の支柱を介して前記器具本体に連結されており、前記支柱の間が開放されていることを特徴とする請求項１記載の照明器具。
【発明の詳細な説明】
【技術分野】
【０００１】
本発明は、照明器具に関するものである。
【背景技術】
【０００２】
従来、天井側から電灯線を介して吊り下げられるペンダント形の照明器具が提供されていた（例えば特許文献１参照）。
【０００３】
上記文献に開示された照明器具は、ペンダントコードを介して天井面から吊り下げられるペンダントコード体と、このペンダントコード体の下側に着脱可能に接続される器具本体と、ペンダントコード体に取り付けられて器具本体を覆うセードとを備えている。このセードは下面側が開放されたドーム状に形成されており、器具本体のソケットに装着されたランプを交換する際には、セードの下側開口を通して、ランプの取り付け／取り外し作業が行えるようになっていた。
【０００４】
ところで、外観の見栄えを向上させたり、グレアの低減を図ったりするために、セードの下側開口を、透光性を有する乳白色の透光カバーで閉塞し、セードの内側を外側から見えないようにしたペンダント形の照明器具が従来提案されていた。
【０００５】
図７（ａ）はこの種の照明器具の分解斜視図であり、この照明器具の器具本体５０は、天井面から電灯線５１を介して吊り下げられている。器具本体５０の下面側には、スパイラル形状の発光管を有する蛍光ランプＬＰが装着されている。また器具本体５０には、蛍光ランプＬＰの下側に位置するように、透光性を有する円板状の透光カバー（図示せず）が着脱自在に取り付けられている。また器具本体５０の上側からは、器具本体５０を覆うようにしてセード５２が被せられている。このセード５２は、円板状の天板部５３と、天板部５３の外周縁の全周から下側に突出するように設けられた周壁部５４とを備え、下側面の全面が開口している。また、セード５２の天板部５３には、電灯線５１を通すための挿入孔５３ａが設けられている。そして、電灯線５１が挿入孔５３ａに通されたセード５２を器具本体５０に被せると、器具本体５０に取り付けられた透光カバー（図示せず）によってセード５２の下側開口が閉塞され、蛍光ランプＬＰの発光は透光カバーを通して外部へ照射されるのである。
【０００６】
この照明器具では、セード５２と透光カバーとで囲まれた空間に蛍光ランプＬＰが納められており、蛍光ランプＬＰを交換するために透光カバーを取り外す場合、先ず、透光カバーに被せられているセード５２を押し上げて、上方位置で仮保持する必要があった。そして、セード５２を上方位置に仮保持させた状態で、透光カバーを取り外して、蛍光ランプＬＰを交換するのであるが、セード５２を上方位置で仮保持するために、図７（ｂ）に示すようなストッパー５５を用いている。このストッパー５５は短冊状の金属片からなり、長手方向の一端側に電灯線５１を通す丸孔５６が設けられ、長手方向の他端側には幅方向の一端側に開放された切欠溝５７が設けられている。
【０００７】
而して、セード５２を上方位置で仮保持するためには、セード５２を上方に押し上げた後、丸孔５６に電灯線５１が通されたストッパー５５を所望の高さまで移動させて、切欠溝５７に電灯線５１を挿入する。この時、ストッパー５５において、丸孔５６と切欠溝５７との間の部位で電灯線５１が引っ掛かることによって、ストッパー５５の下側への移動が規制される。したがって、図７（ｃ）に示すように、セード５２に設けられた挿入孔５３ａの周縁部にストッパー５５が当接し、セード５２がこの位置で仮保持されるので、透光カバーを外して蛍光ランプを交換する作業を行うことができる。
【先行技術文献】
【特許文献】
【０００８】
【特許文献１】特開２００５−７８９２１号公報
【発明の概要】
【発明が解決しようとする課題】
【０００９】
上述した従来の照明器具では、ランプ交換時に、先ずセード５２を押し上げ、片方の手でセード５２を保持した状態で、他方の手でストッパー５５を所望の高さ位置までずらし、電灯線５１を切欠溝５７に挿入して、ストッパー５５を仮保持させる必要があった。このように、片方の手でセードを保持した状態で、もう片方の手でストッパー５５の位置調整を行わねばならないため、調整作業がやりにくく、作業性が悪かった。
【００１０】
本発明は上記課題に鑑みて為されたものであり、その目的とするところは、ランプ交換の作業性を向上させた照明器具を提供することにある。
【課題を解決するための手段】
【００１１】
上記課題を解決するために、本発明の照明器具は、ランプを保持して、被取付部から吊り下げられる器具本体と、この器具本体に取り付けられ、鉛直方向から見た形状が環状に形成された枠体と、吊り下げ状態における下側面に開口が設けられ、この開口内に器具本体と枠体を納めるようにして、吊り下げ状態における上側から枠体上に載置されるセードと、開口を閉塞するように枠体又は器具本体の何れかに取り付けられる透光性のカバーとを備え、枠体の外縁部及びこの外縁部に対向するセードの内側面の内、一方には他方に向かって突出する凸部が、他方には凸部が挿入される凹部がそれぞれ設けられ、凸部を凹部に挿入させることによって、セードが所定の高さ位置で枠体に載置され、所定の高さ位置からセードを上方へ移動させて、凸部を凹部の外側に出し、凹部の周縁部と凸部とを上下方向において当接させることで、セードが所定の高さ位置よりも上方の仮保持位置で、枠体上に載置されることを特徴とする。
【００１２】
この照明器具において、枠体は、複数本の支柱を介して器具本体に連結されており、支柱の間が開放されていることが好ましい。
【発明の効果】
【００１３】
本発明によれば、ランプ交換の作業性を向上させた照明器具を提供することができる。
【図面の簡単な説明】
【００１４】
【図１】本実施形態の照明器具を下側から見た分解斜視図である。
【図２】（ａ）は同上の照明器具を上側から見た外観斜視図、（ｂ）はセード及び下カバーを外した状態を上側から見た外観斜視図である。
【図３】同上の照明器具を示し、セードを上方に持ち上げた状態の側面図である。
【図４】同上の照明器具を示し、セードが仮保持位置に保持された状態の側面図である。
【図５】同上の照明器具を示し、セードを外した状態の外観斜視図である。
【図６】同上の照明器具を示し、下カバーを外した状態の外観斜視図である。
【図７】（ａ）〜（ｃ）は従来の照明器具の説明図である。
【発明を実施するための形態】
【００１５】
以下に本発明の実施の形態を図面に基づいて説明する。尚、以下の説明では、照明器具を吊り下げた状態での上下（図３における上下）を上下方向として説明を行う。
【００１６】
図１に本発明に係る照明器具Ａの分解斜視図を示す。この照明器具Ａは、器具本体１と、器具本体１に複数本の支柱２を介して連結された枠体３と、セード４と、下カバー５を主要な構成として備えている。
【００１７】
器具本体１は、図１〜図３に示すように、略円盤形状に形成されたケース６を有し、このケース６の下面には、蛍光ランプＬＰの口金が着脱自在に装着されるソケット７，７が対角の位置に設けられている。ケース６の内部には、ソケット７，７を介して蛍光ランプＬＰに点灯電力を供給する電子安定器（図示せず）が収納されている。ケース６の上面には電線挿入孔６ａが開口し、この電線挿入孔６ａから電灯線Ｌ１が内部に導入されて、上記の電子安定器に電源が供給される。ここで、蛍光ランプＬＰとしては所謂スパイラル形状のものが使用され、放電ガスを封入した発光管は、その中間部を中心にして両端側が略同一平面内で渦巻き状に旋回するような形状に形成されている。尚、蛍光ランプＬＰは、スパイラル形状の発光管を有するものに限定されるものではなく、丸型の発光管や二重管型の発光管を有する蛍光ランプを用いてもよし、白熱電球などを光源として用いてもよい。
【００１８】
またケース６の下面には、各々のソケット７と一体に、リモコン送信器（図示せず）からのリモコン信号（例えば赤外線信号からなる）を受光する受光ブロック８が設けられている。受光ブロック８が受光したリモコン信号は電気信号に変換されて電子安定器に出力され、電子安定器は、リモコン信号に含まれる制御命令に応じて、蛍光ランプＬＰへの供給電力を変化させ、蛍光ランプＬＰを全点灯、調光、或いは消灯させることができる。またケース６の下面には常夜灯ブロック９が設けられている。常夜灯ブロック９の下面には、例えばＬＥＤからなる常夜灯９ａが配置されるとともに、この照明器具Ａを手動で操作（点灯操作、消灯操作）するための操作ボタン９ｂが配置されている。尚、ケース６の下面は白色に塗装され、蛍光ランプＬＰの発光を下側（下カバー５側）に反射する反射面となっている。
【００１９】
枠体３は、図１〜図３に示すように、例えば鉄などの金属材料により形成され、鉛直上方から見た形状が略円環状に形成されたリング部３ａと、リング部３ａの外縁部の全周から下方に突出する側板部３ｂとを備える。そして、リング部３ａの外縁部から側板部３ｂにかけて、リング部３ａの中心方向に凹んだ凹部３ｃが等間隔に３箇所（つまり約１２０度毎に）設けられている。尚、側板部３ｂは、下側にいくほど外径が大きくなるような傾斜面となっている。
【００２０】
この枠体３は器具本体１の下方に配置され、枠体３と器具本体１とは複数本（本実施形態では例えば６本）の支柱２を介して連結されている。ここで、６本の支柱２は等間隔（約６０度毎）に配置され、各支柱２の間は開放されている。
【００２１】
セード４は、図１〜図３に示すように、例えば可視光を透過しない樹脂材料により形成され、円板状の天板部４ａと、この天板部４ａの外周縁の全周から下側に突出する側板部４ｂとを備え、下側面の全体が開口している。このセード４の内側面は白色に塗装されて、反射面となっている。尚、側板部４ｂは、下側にいくほど外径が大きくなるような傾斜面となっている。天板部４ａの中心には、器具本体１を吊り下げる電灯線Ｌ１が挿入される挿入孔４ｃが開口している。また側板部４ｂの内側面には、枠体３に設けた凹部３ｃに対応して、凹部３ｃ内に挿入される凸部４ｄが等間隔（約１２０度毎）に３箇所に設けられている。また更に、側板部４ｂの内側面には、凸部４ｄよりも上側位置であって、側板部４ｂの円周方向において凸部４ｄとは異なる位置に複数（例えば８個）のリブ４ｅが設けられている。
【００２２】
而して、セード４を枠体３に被せた際に、セード４の凸部４ｄが枠体３の凹部３ｃに挿入された場合は、リブ４ｅが枠体３のリング部３ａに当接する位置まで、セード４の内部に枠体３及び器具本体１が入り込む。この時、セード４の側板部４ｂの下端が、枠体３に取り付けられた下カバー５と略同じ高さ位置となり、セード４の下部開口が下カバー５の透光パネル５ａによって閉塞される。この時のセード４の高さ位置を取付位置（所定の高さ位置）と言う。この状態では凸部４ｄが凹部３ｃの縁に当たることによって、セード４が側板部４ｂの円周方向に回転するのを規制することができる。一方、凸部４ｄが凹部３ｃの外側（つまりリング部３ａよりも上側）に出るまで、セード４を上記の取付位置から上側に移動させると、セード４を側板部４ｂの円周方向に回転させることができる。そして、セード４を側板部４ｂの円周方向に回転させて、凹部３ｃの周縁部（すなわちリング部３ａの上面）に凸部４ｄを載せると、セード４は上記の取付位置よりも上側の仮保持位置で枠体３に載置されることになる。
【００２３】
また、下カバー５は、図５及び図６に示すように、例えばポリカーボネート樹脂からなり、表面に乳白色のマット塗装が施された略円板状の透光パネル５ａを備えている。透光パネル５ａの上面外周には環状のリブ５ｂが設けられ、このリブ５ｂには所定の間隔で複数個（例えば６個）のフック１１がピン１０を用いて取り付けられている。フック１１は金属製で白色に塗装されており、その上端部には内側（透光パネル５ａの中心方向）に向かって突出する爪片１１ａが設けられている。
【００２４】
この下カバー５は、フック１１を支柱２に設けた被係合部１３に着脱自在に係合させることによって、枠体３に取り付けられる。支柱２は、図１及び図５に示すように、板金を略Ｚ字形に折り曲げて形成され、上下の固定片２ａをケース６およびリング部３ａにそれぞれネジ止めすることで、ケース６と枠体３との間を連結する。下側の固定片２ａはリング部３ａの下側面に重ねて配置され、この固定片２ａの先端側はさらに下側に折り曲げられて、側板部３ｂの内側面との間に隙間を設けて配置される引掛片２ｂとなる。引掛片２ｂには、下側縁の略全長から側板部４ｂ側に突出して、フック１１の爪片１１ａと係合する係合片２ｃが設けられている。また、引掛片２ｂには、外側（側板部４ｂ側）から見て右側の側縁の下部に、側板部４ｂ側に突出して、爪片１１ａの乗り越えを規制する抜け止め片２ｄが設けられている。さらに、引掛片２ｂには、外側から見て左側の側縁の略全体に、側板部４ｂ側に突出して、爪片１１ａがそれ以上左側へ移動するのを規制するストッパ片２ｅが設けられている。ここにおいて、セード４の中心軸から、引掛片２ｂの外側面までの距離は、上記中心軸から爪片１１ａの先端までの距離よりも短くなっている。またセード４の中心軸から係合片２ｃ、抜け止め片２ｄ及びストッパ片２ｅの先端までの距離は、上記中心軸から爪片１１ａの先端までの距離よりも長く、且つ、フック１１の内側面までの距離よりは短い距離に設定されている。なお支柱２も他の部材と同様に白色に塗装されている。
【００２５】
この下カバー５を枠体３に取り付ける際は、円周方向においてフック１１と引掛片２ｂの位置がずれるように、枠体３の下側に下カバー５を配置した後、フック１１の爪片１１ａが枠体３の内側面に当接するまで、下カバー５を枠体３側（上側）に移動させる。爪片１１ａが枠体３の内側面に当接した状態では、爪片１１ａが抜け止め片２ｄよりも上側に位置しており、この状態から下側から見て反時計回りに下カバー５を回転させる。そして、フック１１の爪片１１ａが抜け止め片２ｄを越え、ストッパ片２ｅに当接するまで下カバー５を回転させた後、下カバー５を下側に下ろすと、爪片１１ａが係合片２ｃと係合して、下カバー５が枠体３に保持される。この時、フック１１の爪片１１ａが、抜け止め片２ｄとストッパ片２ｅの間に位置し、抜け止め片２ｄとストッパ片２ｅとで回転範囲が規制されるので、下カバー５が枠体３から脱落するのを防止することができる。尚、下カバー５を取り外す際は、フック１１の爪片１１ａが抜け止め片２ｄよりも上側に位置するまで、下カバー５を上側に移動させた後、下側から見て時計回りに下カバー５を回転させる。下カバー５を回転させて、フック１１の爪片１１ａを、引掛片２ｂと係合片２ｃと抜け止め片２ｄとストッパ片２ｅで囲まれる袋状の空間（被係合部１３）の外側へ移動させた後、下カバー５を下側へ移動させると、下カバー５が枠体３から取り外される。
【００２６】
この照明器具Ａは、例えば天井や軒天井などの被取付部から電灯線Ｌ１を介して吊り下げられる器具本体１に、セード４及び下カバー５を取り付けて構成される。図２（ａ）は照明器具Ａの使用状態を示しており、セード４と、セード４の下側開口を閉塞する下カバー５とで囲まれる空間に蛍光ランプＬＰが収納されている。この状態では、下カバー５の外周縁がセード４の側板部４ｂの下端に当接しており、下カバー５を上側に持ち上げることができないので、下カバー５のフック１１を枠体３から外すことができず、下カバー５を枠体３から外せないようになっている。
【００２７】
したがって、蛍光ランプＬＰを交換するために下カバー５を外そうとする場合、先ずセード５を上側に持ち上げて、下カバー５を着脱する間、セード５を上方位置で仮保持しておく必要がある。この照明器具Ａでは、セード４及び下カバー５が器具本体１に取り付けられた状態で、取付位置にあるセード４を上側に持ち上げ、セード４の凸部４ｄを凹部３ｃの外側（すなわちリング部３ａよりも上側）に移動させる。そして、この状態からセード４を側板部４ｂの円周方向に回転させて、凸部４ｄを凹部３ｃの周縁部（つまりリング部３ａの上側）に移動させた後、セード４を下側に下ろすと、凸部４ｄがリング部３ａに載置される。この時、セード４は、上記の取付位置よりも上側の仮保持位置（図４に示す位置）で保持される。
【００２８】
セード４が仮保持位置で保持されると、側板部４ｂの下端部と下カバー５の間に隙間が出来るので、下カバー５を上側に持ち上げることができる。したがって、フック１１の爪片１１ａが支柱２の抜け止め片２ｄよりも上方に位置するまで、下カバー５を上側に押し上げた後、下側から見て時計回りに下カバー５を回転させると、フック１１の爪片１１ａが抜け止め片２ｄを越えて、被係合部１３の外側に出る。この時、フック１１と被係合部１３との係合状態が解除されるので、下カバー５を下側へ下ろすことによって、下カバー５を器具本体１から容易に取り外すことができる。
【００２９】
下カバー５が器具本体１から取り外されると、セード４の下側開口が開放されるので、セード４の内側に収納された蛍光ランプＬＰを交換する作業などを容易に行うことができる。蛍光ランプＬＰの交換などの作業が終了すると、上述した手順で，下カバー５を枠体３に取り付ける。そして、下カバー５が枠体３に保持された状態で、セード４を側板部４ｂの円周方向に回転させ、凸部４ｄを凹部３ｃ内に挿入させると、セード４が上述の取付位置まで降りてきて、側板部４ｂの下端部が下カバー５に当接する。この状態では、セード４が上側から被さって、下カバー５を上側に持ち上げることができないので、下カバー５が枠体３に取り付けられた状態で保持されるのである。
【００３０】
以上説明したように、本実施形態の照明器具Ａは、器具本体１と、枠体３と、セード４と、下カバー５とを備えている。器具本体１は、蛍光ランプＬＰを保持して、被取付部（天井など）から吊り下げられる。枠体３は、器具本体１に取り付けられ、鉛直方向から見た形状が環状に形成されている。セード４は、吊り下げ状態における下側面に開口が設けられ、この開口内に器具本体１と枠体３を納めるようにして、吊り下げ状態における上側から枠体３上に載置される。下カバー５は透光性を有し、セード４の開口を閉塞するように枠体３又は器具本体１の何れかに取り付けられる。枠体３の外縁部に対向するセード４の内側面には、枠体３の外縁部に向かって突出する凸部４ｄが設けられている。また枠体３の外縁部には、凸部４ｄが挿入される凹部３ｃが設けられ、凸部４ｄを凹部３ｃに挿入させることで、セード４が所定の高さ位置（上記の取付位置）で枠体３に載置される。さらに、セード４を上記の取付位置から上方へ移動させて、凸部４ｄを凹部３ｃの外側に出し、凹部３ｃの周縁部と凸部４ｄとを上下方向において当接させることで、セード４が取付位置よりも上方の仮保持位置で、枠体３上に載置される。
【００３１】
これにより、セード４を通常使用時の取付位置から上方に移動させた後、セード４を回転させて、凸部４ｄをリング部３ａ上に載置することで、セード４が通常の取付位置よりも高い仮保持位置で保持されることになる。また仮保持位置から取付位置にセード４を戻す際には、仮保持位置にあるセード４を、凸部４ｄが凹部３ｃ内に挿入される位置まで回転させればよい。したがって、従来例のように片手でセードを持ち上げた状態で、もう片方の手でストッパー５５を電灯線Ｌ１に引っ掛けて、セードを仮保持させたり、ストッパー５５を電灯線Ｌ１から外して、セードを取付位置に戻したりといった片手作業を無くすことができる。よって、セード４を仮保持させる作業を容易に行うことができ、作業性が向上する。
【００３２】
さらに、この照明器具Ａでは、枠体３が、複数本の支柱２を介して器具本体１に連結され、各支柱２の間が開放されている。
【００３３】
これにより、器具本体１と枠体３とを連結する支柱２が全周に亘って設けられている場合に比べて、支柱２の重量を軽減でき、照明器具Ａ全体の軽量化を図ることができる。尚、支柱２、枠体３、セード４の内側面およびケース６の下側面はそれぞれ白色に塗装されて、蛍光ランプＬＰの照明光を反射する反射面となっている。したがって、蛍光ランプＬＰからの照射光のうち、下カバー５を通して直接外部に出る光以外の光を、上記の反射面で反射して下カバー５から外部に出射させることで、外部への光の取出効率を向上させることができる。
【００３４】
尚、本実施形態では、セード４に凸部４ｄが、枠体３に凸部４ｄが挿入される凹部３ｃが設けられているが、枠体３に凸部を設けるとともに、枠体３の凸部が挿入される凹部をセード４に設けてもよい。また、下カバー５は、枠体３に対して着脱自在に取り付けられているが、器具本体１に対して着脱自在に取り付けるようにしてもよい。
【符号の説明】
【００３５】
Ａ  照明器具
１  器具本体
２  支柱
３  枠体
３ａ  リング部
３ｂ  側板部
３ｃ  凹部
４  セード
４ｄ  凸部
５  下カバー
６  ケース
Ｌ１  電灯線
ＬＰ  蛍光ランプ（ランプ）
【図１】
0005416644.tif 000002
【図２】
0005416644.tif 000003
【図３】
0005416644.tif 000004
【図４】
0005416644.tif 000005
【図５】
0005416644.tif 000006
【図６】
0005416644.tif 000007
【図７】
0005416644.tif 000008